(57)【要約】【課題】装置を操作する人がいなくなり、次に使用する場合に前の設定で画像形成しない制御が可能な画像処理装置及び画像処理装置の制御方法を提供する。【解決手段】人体を検出する人感センサーと、種々の設定をするための操作部と、画像処理を行う通常モード及び消費電力を抑えるスリープモードにモード切り替えが可能な制御部とを備えた画像処理装置およびその制御方法において、操作部からの入力が第１の設定時間の間に発生しない場合に、通常モードからスリープモードに切り替え、制御部は人感センサーが人体を検出した場合に、スリープモードから通常モードに切り替え、通常モード時に、人感センサーが人体を検出できなくなる、あるいは人体が離れていくことを検出した場合に、操作部の設定をクリアするとともに、通常モードからスリープモードに切り替えるため第２の設定時間のカウントを開始する。【選択図】図１
2019184880.tif 000002
【特許請求の範囲】
【請求項１】
人体を検出する人感センサーと、
種々の設定をするための操作部と、
画像処理を行う通常モード及び消費電力を抑えるスリープモードにモード切り替えが可能な制御部とを備えた画像処理装置において、
前記操作部からの入力が、第１の計測用タイマーに設定された第１の設定時間の間に発生しない場合に、前記通常モードからスリープモードに切り替える第１の計測用タイマーを備え、
前記制御部は、前記人感センサーが人体を検出した場合に、スリープモードから通常モードに切り替えるものであり、
通常モード時に、前記人感センサーが人体を検出できなくなる、あるいは人体が離れていくことを検出した場合に、前記操作部の設定をクリアするとともに、通常モードからスリープモードに切り替えるための第２の計測用タイマーに設定された第２の設定時間のカウントを開始することを特徴とする画像処理装置。
【請求項２】
前記第１の設定時間と前記第２の設定時間とが異なることを特徴とする請求項１記載の画像処理装置。
【請求項３】
前記人感センサーが人体を検出できなくなる、あるいは人体が離れていくことを検出した場合に、前記操作部からの設定をクリアするクリア用タイマーのカウントを開始すると共に、前記第２の計測用タイマーのカウントを開始し、前記クリア用タイマーのカウント終了をもって、前記操作部の設定をクリアすることを特徴とする請求項１又は２に記載の画像処理装置。
【請求項４】
前記クリア用タイマーのカウントアップの前に、前記人感センサーが前回人体を検出した方向と同方向で今回人体を検出したときには、前記操作部の設定はクリアせず、一方、前記人感センサーが前回人体を検出した方向と異なる方向で今回人体を検出したときには、前記操作部の設定をクリアすることを特徴とする請求項３に記載の画像処理装置。
【請求項５】
前記クリア用タイマーのカウントアップの前に、前記人感センサーが人体を検出したときには、前記操作部の設定はクリアするか否かの表示をし、クリアの操作入力によって設定をクリアすることを特徴とする請求項３又は４に記載の画像処理装置。
【請求項６】
前記第２の設定時間よりもクリア用タイマーの設定時間が短いことを特徴とする請求項３に記載の画像処理装置。
【請求項７】
人体を検出する人感センサーと、種々の設定をするための操作部と、画像処理を行う通常モード及び消費電力を抑えるスリープモードにモード切り替えが可能な制御部とを備えた画像処理装置の制御方法において、
前記操作部からの入力が第１の設定時間の間に発生しない場合に、前記通常モードからスリープモードに切り替えるスリープモード切り替え行程と、
前記人感センサーが人体を検出した場合に、スリープモードから通常モードに切り替える通常モード切り替え行程と、
通常モード時に、前記人感センサーが人体を検出できなくなる、あるいは人体が離れていくことを検出した場合に、前記操作部の設定をクリアするとともに、通常モードからスリープモードに切り替えるため設定された第２の設定時間のカウントを開始する工程とを有することを特徴とする画像処理装置の制御方法。
【発明の詳細な説明】
【技術分野】
【０００１】
本発明は、複写機などの画像処理装置であって、特に装置のスリープモードを制御するようにした画像処理装置及び画像処理装置の制御方法に関する。
【背景技術】
【０００２】
複写機等の画像処理装置において、通常の動作モードとスリープモードとを切り替える機能を有し、焦電型センサー等を利用した人感センサーを備えたものが有る。画像処理装置において、人（人体）が近づいたことを検知した場合、画像処理装置の操作開始前にスリープモードから通常モードへ自動的に復帰することによって、復帰による待ち時間を短縮するとともに、一方、人が検知されなくなった場合には、一定時間後に通常モードからスリープモードに切り替える機能が提供されている（特許文献１：特許第５１６３７６１号等参照）。
【０００３】
また、人感センサーが無い複写機等画像処理装置では、一定時間操作が無かった場合には、操作部で設定された内容をクリアするオートクリア機能が提供されている。
【先行技術文献】
【特許文献】
【０００４】
【特許文献１】特許第５１６３７６１号公報
【発明の概要】
【発明が解決しようとする課題】
【０００５】
画像処理装置の使用において、操作していた人がいなくなるとほぼ同時に入れ替わりで次の人が装置を使用するような場合には、人感センサーによる検知からスリープモードに切り替わるまでの時間よりも短い時間で人の交代が生じるため、スリープモードに入らず、また、オートクリア機能も動作しない。そのため、次の人が前の人の設定のままで誤った設定で複写等の画像形成をしてしまうといった問題が有った。
【０００６】
本発明は、斯かる実情に鑑み、装置を操作する人がいなくなり、次に使用する場合に前の設定で画像形成しない制御が可能な画像処理装置及び画像処理装置の制御方法を提供するものである。
【課題を解決するための手段】
【０００７】
本発明は、人体を検出する人感センサーと、
種々の設定をするための操作部と、
画像処理を行う通常モード及び消費電力を抑えるスリープモードにモード切り替えが可能な制御部とを備えた画像処理装置において、
前記操作部からの入力が、第１の計測用タイマーに設定された第１の設定時間の間に発生しない場合に、前記通常モードからスリープモードに切り替える第１の計測用タイマーを備え、
前記制御部は、前記人感センサーが人体を検出した場合に、スリープモードから通常モードに切り替えるものであり、
通常モード時に、前記人感センサーが人体を検出できなくなる、あるいは人体が離れていくことを検出した場合に、前記操作部の設定をクリアするとともに、通常モードからスリープモードに切り替えるための第２の計測用タイマーに設定された第２の設定時間のカウントを開始することを特徴とする画像処理装置である。
【０００８】
本発明においては、前記第１の設定時間と前記第２の設定時間とが異なることが好適である。なお、操作部からの入力が一定時間発生しない場合にスリープモードに切り替えるための第１の計測用タイマーの第１の設定時間が、前記人感センサーの検出結果により通常モードからスリープモードに切り替えるまでの第２の計測用タイマーの第２の設定時間よりも長いものとすることがさらに好適である。
【０００９】
本発明において、前記人感センサーが人体を検出できなくなる、あるいは人体が離れていくことを検出した場合に、前記操作部からの設定をクリアするクリア用タイマーのカウントを開始すると共に、前記第２の計測用タイマーのカウントを開始し、前記クリア用タイマーのカウント終了をもって、前記操作部の設定をクリアすることが好適である。
【００１０】
本発明において、前記クリア用タイマーのカウントアップの前に、前記人感センサーが前回人体を検出した方向と同方向で今回人体を検出したときには、前記操作部の設定はクリアせず、一方、前記人感センサーが前回人体を検出した方向と異なる方向で今回人体を検出したときには、前記操作部の設定をクリアすることが好適である。
【００１１】
本発明において、前記クリア用タイマーのカウントアップの前に、前記人感センサーが人体を検出したときには、前記操作部の設定はクリアするか否かの表示をし、クリアの操作入力によって設定をクリアすることが好適である。
【００１２】
本発明においては、第２の計測用タイマーの第２の設定時間よりもクリア用タイマーの設定時間が短いことが好適である。
【００１３】
本発明は、人体を検出する人感センサーと、種々の設定をするための操作部と、画像処理を行う通常モード及び消費電力を抑えるスリープモードにモード切り替えが可能な制御部とを備えた画像処理装置の制御方法において、
前記操作部からの入力が第１の設定時間の間に発生しない場合に、前記通常モードからスリープモードに切り替えるスリープモード切り替え行程と、
前記人感センサーが人体を検出した場合に、スリープモードから通常モードに切り替える通常モード切り替え行程と、
通常モード時に、前記人感センサーが人体を検出できなくなる、あるいは人体が離れていくことを検出した場合に、前記操作部の設定をクリアするとともに、通常モードからスリープモードに切り替えるため設定された第２の設定時間のカウントを開始する工程とを有することを特徴とする画像処理装置の制御方法である。
【発明の効果】
【００１４】
本発明の画像処理装置によれば、制御部が、前記人感センサーが人体を検出した場合に、スリープモードから通常モードに切り替え、通常モード時に、前記人感センサーが人体を検出できなくなる、あるいは人体が離れていくことを検出した場合に、前記操作部の設定をクリアするとともに、通常モードからスリープモードに切り替えるための第２の計測用タイマーに設定された第２の設定時間のカウントを開始する構成を有するので、画像処理装置の操作者がわずかな時間をおいて入れ替わった場合、入れ替わりによって人感センサーが人体を検出できず、又は人体が離れていくことを検出して、制御部が操作部の設定をクリアし、かつ、第２の設定時間のカウントを開始するので、前の操作者の設定のままで処理をしてしまうといった不具合や、第２の設定時間のカウントがしばらくアップしないので、次の操作者が使おうとしたときにスリープモードになっているといった不具合を避けられるという優れた効果を奏し得る。
【図面の簡単な説明】
【００１５】
【図１】本発明の実施形態に係る画像形成装置の説明図である。
【図２】実施形態に係る操作部の拡大図である。
【図３】実施形態に係る人感センサーの説明図であって、検出作動例を示すものである。
【図４】実施形態に係る制御系の概略ブロック図である。
【図５】実施形態の制御を示すフローチャートである。
【図６】他の実施形態における制御を示すフローチャートである。
【発明を実施するための形態】
【００１６】
以下、本発明の実施形態について添付図面を参照して説明する。
図１は本発明の実施形態に係る画像形成装置の説明図、図２が操作部の拡大図、図３が人感センサーの作動の説明図、図４が制御系の概略ブロック図、図５が実施形態の制御を示すフローチャートである。
【００１７】
実施形態に係る画像形成装置（「画像処理装置」に相当）１００は、図１、図２、図４に示すように、人体を検出する人感センサー１０と、種々の設定をするための操作部１２と、画像処理を行う通常モード及び消費電力を抑えるスリープモードにモード切り替えが可能な制御部１４とを備えた画像形成装置に関する。
【００１８】
操作部１２は、画像の印刷条件等の各種設定を入力可能な操作パネル１２０を有し、設定を制御部１４に記憶することができるものである。
【００１９】
画像形成装置は、図４に示すように、操作部１２からの入力が第１の設定時間ｔ１の間に発生しない場合に、通常モードからスリープモードに切り替える第１の計測用タイマー１６を備える。
【００２０】
制御部１４は、人感センサー１０が人体を検出した場合に、スリープモードから通常モードに切り替えるものであり、人感センサー１０が人体を検出できなくなる、あるいは人体が離れていくことを検出した場合に、操作部１２の設定をクリアするとともに、通常モードからスリープモードに切り替えるための第２の計測用タイマー１８に設定された第２の設定時間ｔ２の計測動作を開始する。
【００２１】
画像形成装置１００は、電子写真方式により記録用紙に画像を形成する。また、画像形成装置１００は、動作モードとして、コピーモード、ファクシミリモード（ファックスモード）、ネットワークプリンターモードを備えている。
【００２２】
まず、実施形態に係る画像形成装置１００の基本的な構成について説明する。
【００２３】
画像形成装置１００は、図１に示すように、主に、画像データを入力する原稿読取部（入力手段）（以下、「スキャナ部」と称する。）１０２、スキャナ部１０２により入力された画像データに基づいて記録媒体上に画像を形成する画像形成部１０４、用紙を供給する給紙部（用紙供給部）１０６、及び、操作部１２を備える。
【００２４】
操作部１２は、図１、図２に示すように、いわゆるタッチパネルディスプレイである操作パネル１２０及びスイッチ類１３０を備えている。操作パネル１２０は、液晶パネル等で構成された表示パネルと、表示パネルに重ねて配置されたユーザの指で押圧された位置を検出するタッチパネルとで構成される。スイッチ類１３０は、操作部１２上面に各種構成のスイッチが設置されている。操作部１２は、画像形成装置１００の前面部でやや突出した部分の上面にユーザが操作パネル１２０及びスイッチ類１３０が形成されており、ユーザが上方から見下ろして容易に操作可能になるような位置に構成されている。なお、操作部１２の前端部に人感センサー１０が設けられている。
【００２５】
操作部１２は、詳しくは図２に示すように、操作パネル１２０のタッチパネル上面に、コピー濃度などの画像形成の条件（コピー濃度、用紙、倍率、両面コピー、ソーター、ステープル、設定確認等）の各種タッチスイッチ１２０ａが設定され、また、トレイの用紙状況の表示等の各種表示を行う表示面１２０ｂが有る。
【００２６】
また、スイッチ類１３０は、操作パネル１２０の左右に並べて配置される。図２に向かって、左側のスイッチ類１３０Ｌはファクシミリ、プリント、コピーの機能選択スイッチ、向かって右側のスイッチ類１３０Ｒは、コピー枚数の設定等のテンキー１３１、割り込みキー１３２、枚数設定等のクリアキー１３３、設定の全削除キー１３４、スリープの表示とスリープの設定をするスリープキー１３５と、画像形成開始等を指示するスタートキー１３６とを備えている。
【００２７】
各キーの働きは、通常の画像形成装置と同様であるが、スリープキー１３５部分には、スリープ状態を示すために、スリープ状態になると点灯するＬＥＤが埋め込まれている。
このＬＥＤが点灯した状態では、スリープキー１３５のみの入力が受け付けられ、他のキーは省電力のために効かなくなる。
【００２８】
スリープキー１３５が押下によって入力されると、スリープ状態から通常状態に復帰する。
【００２９】
通常状態では、一定時間キー操作が無いとスリープ状態に入るように構成されていてもよく、何らかのキーを押すとスリープ用タイマーが再設定される。また、通常状態では、スリープキー１３５を押すとすぐにスリープ状態に入る。
【００３０】
〔人感センサー１０〕
人感センサー１０は、上述の図１に示すように操作部１２の先端側に設けられている。人感センサー１０には、焦電素子と接合型電界効果トランジスタを備えた焦電型赤外線センサーを用いることができる。
【００３１】
焦電素子は、人体の発する赤外線のわずかな変化で電荷を発生させるものである。接合型電界効果トランジスタのゲート電圧の変化により、センサー出力電圧Ｖが変化する。
【００３２】
図３において、ア.に示すように、人体Ｍが画像形成装置１００に近づく前は、人体Ｍが検知されず人感センサー１０の出力電圧Ｖが無い。その後、イ．に示すように、人体Ｍが近づくと人体Ｍからの赤外線が受光され、出力電圧Ｖが変化する。
【００３３】
その後、ウ.に示すように、人体Ｍが画像形成装置１００の前にいて人感センサー１０に人体Ｍからの赤外線が受光され続けると、人感センサー１０の出力電圧Ｖが低下する。
【００３４】
その後、エ.に示すように、人体Ｍが画像形成装置１００から離れると、人感センサー１０の出力電圧Ｖがさらに低下し、その後は、オ.に示すように、人体Ｍが周囲にいないので検出されず、人感センサー１０の出力電圧Ｖは元のア．の状態に戻る。
【００３５】
以上のように、人体Ｍがイ．のように、画像形成装置に接近する場合と、エ．のように、離れる場合とで、人感センサー１０の出力電圧Ｖの変化状態が異なり、その電圧Ｖの変化状態を検知することによって、人体Ｍが画像形成装置に接近したか、又は、離れたかを検知できる。
【００３６】
画像形成装置は、図４に示すように、制御部１４は、制御基板上に中央処理ユニット（ＣＰＵ）を有するものである。
【００３７】
操作部１２から入力する操作信号で制御部１４は、オン／オフ制御信号によって第１の電源１４０と第２の電源１４２のオン／オフをする。
【００３８】
通常モード時には、制御部１４の信号によって、第１の電源１４０及び第２の電源１４２をオンし、一方、スリープモード時には、制御部１４の信号によって、第１の電源１４０をオフし、第２の電源１４２のみをオンするように切り替える。
【００３９】
具体的には、通常モード時には、第１の電源１４０から操作部１２のタッチスイッチ１２０ａ、表示面１２０ｂと、制御部１４のＣＰＵその他各部品に電力を供給し、それと共に、第２の電源１４２からは、制御部１４とスリープキー１３５とその表示用ＬＥＤ、及び人感センサー１０に電力を供給する。
【００４０】
スリープモード時には、第１の電源１４０が停止し、第２の電源１４２の電力供給でＣＰＵが低消費電力モードで動作する。このスリープモード時には、操作部１２は、図２に示すスリープキー１３５とその表示用ＬＥＤ、及び人感センサー１０のみが第２の電源１４２で動作し有効になり、その他の操作部１２のタッチスイッチ１２０ａ、表示面１２０ｂは表示せず作動しない。
【００４１】
また、制御部１４には、操作部１２からの入力が第１の設定時間ｔ１の間に発生しない場合に、通常モードからスリープモードに切り替える第１の計測用タイマー１６と、人感センサー１０が人体を検出できなくなる、あるいは人体が離れていくことを検出した場合に、操作部１２の設定をクリアするとともに、通常モードからスリープモードに切り替えるための第２の計測用タイマー１８のカウントを開始する。第１の計測用タイマー１６と第２の計測用タイマー１８は、ＣＰＵがプログラムを実行することによって機能する。なお、後記する他の実施形態に説明するように、制御部１４のＣＰＵにはクリア用タイマー２０の機能もプログラムの実行等で有する。
【００４２】
したがって、実施形態の画像形成装置によれば、人感センサー１０が人体を検出できなくなる、あるいは人体が離れていくことを検出した場合に、操作部１２の設定をクリアするため、画像形成装置１００の前面に立って操作していた操作者がわずかな時間をおいて入れ替わった場合でも、前の操作者の設定のままで処理をしてしまうといった不具合が無く、通常モードからスリープモードにすぐに切り替えるのではなく、モードを切り替えるための第２の計測用タイマー１８のカウントを開始するだけなので、次の操作者が使おうとしたときにスリープモードになっているといった不具合を避けられる。
【００４３】
なお、第１の計測用タイマー１６に設定された第１の設定時間ｔ１と、第２の計測用タイマー１８に設定された第２の設定時間ｔ２とを異なるものに設定できる。この場合、操作部１２からの第１の計測用タイマー１６の第１の設定時間ｔ１を、人感センサー１０の検出結果により通常モードからスリープモードに切り替えるまでの第２の計測用タイマー１８の第２の設定時間ｔ２よりも長いものとすることが好適であり、実施形態では、第１の設定時間ｔ１を１分とし、第２の設定時間が３０秒であるとしている（ｔ１＞ｔ２）。
【００４４】
また、操作者が装置から離れたことが検出された場合は、操作部１２の設定をクリアするため、次の操作者がそのままの設定で操作することを防止できると共に、操作者が装置の前で設定を迷って比較的長い時間操作をしないでいる場合でも、操作者の人体が装置から離れため、第２の計測用タイマー１８が短い時間ｔ２でカウントせず、第１の計測用タイマー１６で比較的長い時間ｔ１をカウントするので、操作者の意図に反して操作部の設定が短時間でクリアされるようなことを防止できる。
【００４５】
図５は、実施形態における第１の電源１４０及び第２の電源１４２から電源供給の制御手順を説明するフローチャートである（図においてステップ１０１〜はＳ１０１〜と略記する）。
【００４６】
まず、画像形成装置の電源スイッチをオンする（Ｓ１０１）と、第１の電源１４０と第２の電源１４２がオンし（Ｓ１０２）（図４参照）、次いで、操作部１２、制御部１４、及び各部品に電源が供給される。そして、操作部１２を初期化する（Ｓ１０３）。動作モードを通常とし（Ｓ１０４）、スリープタイマーの設定時間を３分にする（Ｓ１０５）。この場合、スリープタイマーとして第１の計測用タイマー１６の第１の設定時間ｔ１を３分にすることに相当する。
【００４７】
次いで、動作モードが、通常モードか、スリープモードか、スリープ移行中かを判定する（Ｓ１０６）。判定結果が通常モードならばＳ１１０に進み、スリープモードならばＳ１２０に進み、スリープ移行中ならばＳ１３０に進む。
【００４８】
〔通常モード〕
Ｓ１０６において、動作モードが「通常モード」と判定された場合、人感センサー１０における人体を検出した出力電圧Ｖの変化を判定する（Ｓ１１０）。Ｓ１１０において、人体が人感センサー１０から離れたことを検出したものと判定したならば、スリープタイマーの設定時間を１分に設定する（Ｓ１１１）。これはＣＰＵ上の第２の計測用タイマー１８の第２の設定時間ｔ２を１分とすることに相当する。そして、各種操作のため記憶されている操作部１２の設定値を初期化し（Ｓ１１２）、動作モードをスリープ移行中にする（Ｓ１１３）。その後に、Ｓ１０６に戻り、動作モードの判定をする。
【００４９】
一方、Ｓ１１０にて人感センサー１０の出力電圧Ｖが変化無しと判定した場合、スリープタイマーのカウント（第１の設定時間ｔ１の３分又は第２の設定時間ｔ２の１分）がカウントアップしたか否かを判定する（Ｓ１１４）。
【００５０】
Ｓ１１４の判定結果が、スリープタイマーがカウントアップした（残り時間が無くなった）場合、主電源の第１の電源１４０をオフする（Ｓ１１５）。そして、動作モードをスリープモードにして、図４に示すように、第２の電源１４２のみの電源を制御部１４に供給してＣＰＵが低電力消費モードとすると共に、スリープキー１３５、スリープキーのＬＥＤ、人感センサー１０に供給する（Ｓ１１６）。その後に、Ｓ１０６に戻り、動作モードの判定をする。
【００５１】
一方、Ｓ１１４の判定結果が、スリープタイマーがカウントアップしていない（残り時間が有る）場合には、キー操作が有ったか否かを判定する（Ｓ１１７）。キー操作としてスリープキー１３５が押下された場合には、Ｓ１１５に進んで、主電源（第１の電源１４０）をオフし、Ｓ１１６において、動作モードをスリープモードにする。その後に、Ｓ１０６に戻り、動作モードの判定をする。
【００５２】
また、Ｓ１１７において、キー操作として、スリープキー１３５以外の操作が有った場合、Ｓ１４１に進んで、スリープタイマー（第１の計測用タイマー１６）に３分の時間を設定し、Ｓ１４２において、動作モードを通常に設定する。その後に、Ｓ１０６に戻り、動作モードの判定をする。
【００５３】
一方、Ｓ１１７において、キー操作が無かった場合、スリープタイマーを減算する（Ｓ１１８）。その後に、Ｓ１０６に戻り、動作モードの判定をする。
【００５４】
〔スリープモード〕
Ｓ１０６において、「スリープモード」と判定された場合、人感センサー１０の出力電圧Ｖの変化から人体の接近、離脱を判定する（Ｓ１２０）。人感センサー１０が人体の接近を検知した場合、Ｓ１２１に進んで、主電源（第１の電源１４０）をオンする。その後、Ｓ１４０に進んで、操作部１２を初期化し、Ｓ１４１に進んで、スリープタイマー（第１の計測用タイマー１６）に３分の時間を設定し、Ｓ１４２において、動作モードを通常に設定する。その後に、Ｓ１０６に戻り、動作モードの判定をする。
【００５５】
Ｓ１２０において、人感センサー１０の出力電圧Ｖに変化が無く、又は出力電圧Ｖの変化から人が離れたことを検知した場合、スリープキー１３５が押下されたか否かを判定する（Ｓ１２２）。スリープキー１３５が押下された場合（Ｓ１２２：ＯＮ）、Ｓ１２１に進んで、主電源（第１の電源１４０）をオンする（Ｓ１２１）。Ｓ１２１で主電源（第１の電源１４０）をオンした後には、操作部１２の設定値を初期化し（Ｓ１４０）、スリープタイマー（第１の計測用タイマー１６）に３分の時間を設定し（Ｓ１４１）、動作モードを通常に設定する（Ｓ１４２）。その後に、Ｓ１０６に戻り、動作モードの判定をする。
【００５６】
一方、Ｓ１２２において、スリープキー１３５が押下されていない場合（Ｓ１２２：ＯＦＦ）、Ｓ１０６に戻り、動作モードの判定をする。
【００５７】
〔スリープモード移行中〕
Ｓ１０６において、「スリープモード移行中」と判定された場合、人感センサー１０の検出（出力電圧Ｖ）を判定する（Ｓ１３０）。人感センサー１０の出力に変化が無く、又は人が離れたことを検知した場合、Ｓ１１４に進んで、スリープタイマー（第１の計測用タイマー１６）のカウントが終了したか否かを判定し、カウントアップした場合、Ｓ１１５からＳ１１６に進み、カウントアップしていない場合、Ｓ１１７、Ｓ１１８以降に進んで、それら処理を実行する。その後に、Ｓ１０６に戻り、動作モードの判定をする。
【００５８】
一方、Ｓ１３０において、人感センサー１０が人の接近を検知したときには、Ｓ１４１に進んで、スリープタイマー（第１の計測用タイマー１６）に３分の時間を設定し、Ｓ１４２において、動作モードを通常に設定する。その後に、Ｓ１０６に戻り、動作モードの判定をする。
【００５９】
ここで、実施形態においてのスリープモードからの復帰条件としては、
（１）人感センサーで接近を検知、
（２）スリープ復帰キー（スリープキー１３５）が押下された。
のいずれかとしている。
【００６０】
画像形成装置のモード状態としては
（ア）通常状態、
（イ）通常状態からスリープ状態への移行、
（ウ）スリープ状態
を備えている。（ア）（イ）の状態で何らかのキーが押された場合は（Ｓ１１７：キー操作有り）、スリープ状態に入るまでのタイマーが延長され（Ｓ１４１）、また、一定期間操作が無い、あるいは人が接近しないと判断された場合はスリープ状態に入る（Ｓ１１６）。また、スリープキー１３５が押された場合は（Ｓ１１７：スリープキー押下）すぐにスリープ状態に入る（Ｓ１１６）。
【００６１】
人感センサー１０で人が画像形成装置から離れたこと（図３エ．参照）を検知したときのみ（Ｓ１１０：離れたことを検知）、「スリープ移行中」の状態となり、このときにタイマー設定を１分とし（Ｓ１１１）、それ以外のキーが一定時間操作されない状態で継続した場合のスリープ設定を３分としている（Ｓ１０５、Ｓ１４１）。これは、人がマシンから離れたことが外乱によって人感センサー１０で検知できなかった場合も、一定時間後には、スリープ状態に入るために使用している。
【００６２】
〔他の実施形態〕
図６は他の実施形態に係る制御用フローチャートである。
【００６３】
他の実施形態では、図６に示すように、人感センサー１０で検出できなくなり、又は、操作者（人体）の接近を検知したときから、操作部１２の設定をクリアするまでの時間を計測するためのクリア用タイマー２０（図４参照）を設けてカウントし（Ｓ２３１、Ｓ２３３）、スリープ移行中の状態でタイマーがゼロまでカウントダウンしたら、操作中の設定をクリアするようにしている（Ｓ２３２）。なお、人感センサー１０が人体の接近を検知したら、クリアタイマーのカウントを判定し（Ｓ２３４）、そのカウントが終了していない場合（Ｓ２３４：＞０）、Ｓ２４１に進み、スリープタイマーを３分に設定し、クリアタイマーを３０秒に設定し、Ｓ２４２に進んで、動作モードを通常とする。一方、カウントが終了していれば（Ｓ２３４：＝０）、Ｓ２４０に進んで操作部１２の設定値を初期化する。
【００６４】
詳しくは、他の実施形態においては、図６のフローチャートに示すように、まず、電源スイッチをオンし（Ｓ２０１）、第１の電源１４０と第２の電源１４２をオン（Ｓ２０２）する。操作部１２を初期化し（Ｓ２０３）、動作モードを通常とし（Ｓ２０４）、スリープタイマーを３分、クリア用タイマー２０を３０秒にそれぞれ設定する（Ｓ２０５）。この場合、スリープタイマーとして第１の計測用タイマー１６の第１の設定時間ｔ１を３分に設定することに相当すると共に、クリア用タイマー２０を３０秒に設定することに相当する。
【００６５】
次いで、動作モードが、通常モード、スリープモード、あるいはスリープモード移行中のいずれであるかを判定し（Ｓ２０６）、通常モードならばＳ２１０に進み、スリープモードならばＳ２２０に進み、スリープ移行中ならばＳ２３０に進む。
【００６６】
〔Ｓ２０６において通常モードと判定〕
判定結果が通常モードでＳ２１０に進んだ場合、人感センサー１０の出力電圧Ｖの変化を判定する。Ｓ２１０の判定結果から、人が人感センサー１０から離れたことを検出したならば、スリープタイマーの設定時間を１分に設定する共に、クリア用タイマー２０を３０秒に設定する（Ｓ２１１）。これによってＣＰＵ上の第２の計測用タイマー１８の第２の設定時間ｔ２を１分とし、クリア用タイマー２０の設定時間ｔｃを３０秒とする。そして、動作モードがスリープ移行中になる（Ｓ２１２）。その後に、Ｓ２０６に戻り、動作モードの判定をする。
【００６７】
一方、Ｓ２１０にて人感センサー１０の出力電圧Ｖが変化しない場合、スリープタイマーがカウント（第１の計測用タイマーの第１の設定時間ｔ１の３分）がカウントアップしたか否かを判定する（Ｓ２１３）。
【００６８】
Ｓ２１３において、判定結果がスリープタイマーのカウントアップである（スリープタイマーの残り時間が無くカウントアップした）場合には、主電源の第１の電源１４０をオフする（Ｓ２１４）。そして、動作モードをスリープモードにする（Ｓ２１５）。このスリープモードでは、図４に示すように、第２の電源１４２のみの電源を制御部１４に供給してＣＰＵが低電力消費モードとなると共に、スリープキー１３５、スリープキーのＬＥＤ、人感センサー１０に供給する。その後、Ｓ２０６に戻る。
【００６９】
一方、Ｓ２１３の判定結果が、スリープタイマーがカウントアップしておらず残り時間が有る場合には、キー操作が有ったか否かを判定する（Ｓ２１６）。キー操作としてスリープキー１３５の操作が「押下」の場合には、Ｓ２１４に進んで主電源（第１の電源１４０）をオフし、Ｓ２１５にて動作モードをスリープモードにする。その後、Ｓ２０６に戻る。
【００７０】
Ｓ２１６において、キー操作が「無し」の場合、スリープタイマーを減算してカウントアップする（Ｓ２１７）。その後、Ｓ２０６に戻る。
【００７１】
さらに、Ｓ２１６にて、「その他のキー（スリープキー１３５以外のスイッチ類のいずれか）操作有り」の場合、Ｓ２４１に進んで、スリープタイマーを３分に設定し（第１の計測用タイマーの第１の設定時間ｔ１の３分に設定し）、クリア用タイマー２０に３０秒を設定し、Ｓ２４２にて動作モードを通常にし、その後、Ｓ２０６に戻る。
【００７２】
〔Ｓ２０６においてスリープモードと判定〕
Ｓ２０６でスリープモードと判定された場合、人感センサー１０が検出したか否かを判定する（Ｓ２２０）。Ｓ２２０において、人感センサー１０が人の接近を検知した場合、主電源（第１の電源１４０）をオンする（Ｓ２２１）。Ｓ２４０に進んで、操作部の設定値を初期化する。その後、Ｓ２４１でスリープタイマーを３分に、クリア用タイマー２０を３０秒に設定し、Ｓ２４２にて動作モードを通常にする。
【００７３】
一方、Ｓ２２０において、人感センサー１０の検出に変化が無く、又は人が離れたことを検知した場合、スリープキー１３５を押下されたか否かを判定する（Ｓ２２２）。Ｓ２２２において、スリープキー１３５が押下された場合、Ｓ２２１に進んで、主電源（第１の電源１４０）をオンする（Ｓ２２１）。Ｓ２２１で主電源（第１の電源１４０）をオンした後には、Ｓ２４０に進んで操作部の初期化をする。
【００７４】
一方、Ｓ２２２において、スリープキー１３５が押下されていない場合、Ｓ２０６に戻る。
【００７５】
〔Ｓ２０６においてスリープモード移行中と判定〕
Ｓ２０６の動作モードの判定において、スリープモード移行中であれば、人感センサー１０の検出に基づく出力電圧Ｖを判定する（Ｓ２３０）。Ｓ２３０において、人感センサー１０の出力電圧Ｖに変化無く、又は人が離れたことを検知した場合、Ｓ２３１に進んで、クリア用タイマー２０のカウントが終了したか否かを判定する。Ｓ２３１において、クリア用タイマー２０のカウントが終了した場合（：＝０）、操作部１２の設定を初期化し（Ｓ２３２）、その後、Ｓ２１３に進んで、スリープタイマーがカウント終了したか否かを判定する。
【００７６】
一方、Ｓ２３１において、判定結果がクリア用タイマー２０のカウントが終了していない場合（：＞０）、Ｓ２３３に進んでクリア用タイマー２０のカウントを減算し、その後、Ｓ２１３に進む。
【００７７】
なお、実施形態において、クリア用タイマー２０のカウントアップの前に、人感センサー１０が前回人体を検出した方向と同方向で今回人体を検出したときには、操作部１２の設定はクリアせず、一方、人感センサー１０が前回人体を検出した方向と異なる方向で今回人体を検出したときには、操作部の設定をクリアしないことが好適である。
【００７８】
実施形態の画像形成装置において、左・右箇所に人感センサーを配設して左又は右の人感センサーにて人体を検出し、前回左又は右の人感センサーで検出した後に、今回人体を同じ方向から検出したとすれば同じ操作者であり、連続して使用すると言えるので、操作部の設定をクリアしない方が使い易い。一方、前回左又は右の人感センサーで検出した後に、今回人体を右又は左と異なる方向から人体が来たことを検出した場合は、前の人と別の人が使用するために近づいてききたと言えるので、前の人が操作した際の操作部の設定をクリアして、次の人は設定の残っていない新たな状態で使用できるので、次の人が使い易い。
【００７９】
また、クリア用タイマー２０のカウントアップの前に（Ｓ２３４）、すぐに設定をクリアしていたが（Ｓ２４０）、人感センサー１０がカウントアップの前に人体を検出したときには、設定をクリアする前に、操作部１２の設定はクリアするか否かの表示をし、クリアの操作入力（クリアキーの押下操作等）を条件にして、操作入力によって設定をクリアすることが好適である。
【００８０】
このようにすることによって、操作者が同じ場合、同じ設定で画像形成装置を使用したい場合が有るので、設定をクリアできるか否かが選択できるようにした方が使用し易い。なお、次の操作者が異なる人の場合でも前の操作者と同じ設定で使用したいときには、設定をクリアしない方が都合がよいので、選択できるようにした方が使用し易い。
【００８１】
他の実施形態では、Ｓ２１１のように、第２の計測用タイマー１８の第２の設定時間（例えば１分）よりもクリア用タイマー２０の設定時間が短い（例えば３０秒）ものである。
【００８２】
これによって、操作者が例えば用紙や原稿を取るために一時的に装置から離れた場合に、操作部設定のクリアを防止でき、操作者が明らかに装置から離れた場合に、操作部設定のクリアやスリープモードへの移行ができるという優れた作用効果を奏する。
【００８３】
なお、実施形態は本発明の一つの実施形態例であり、本発明を種々に変形実施できる。実施形態では、第１の計測用タイマー、第２の計測用タイマー、クリア用タイマーにそれぞれ３分、１分、３０秒を設定時間としていたが、これは一例であり種々に設定できる。
【産業上の利用可能性】
【００８４】
本発明の画像処理装置は、デジタル複写機、プリンター機能やファクシミリ機構を備えた画像形成装置に利用することができる。
【符号の説明】
【００８５】
Ｖ  出力電圧
１０  人感センサー
１２  操作部
１４  制御部
１６  第１の計測用タイマー
１８  第２の計測用タイマー
２０  クリア用タイマー
１００  画像形成装置
１０２  スキャナ部
１０４  画像形成部
１２０  操作パネル
１３０（１３０Ｌ、１３０Ｒ）  スイッチ類
１３５  スリープキー
１４０  第１の電源
１４２  第２の電源
【図１】
2019184880.tif 000003
【図２】
2019184880.tif 000004
【図３】
2019184880.tif 000005
【図４】
2019184880.tif 000006
【図５】
2019184880.tif 000007
【図６】
2019184880.tif 000008